【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
駆動源により回転駆動される入力軸と、この入力軸の回転に基づく動力を取出す出力軸と、前記入力軸と前記出力軸との間に配置されたバリエータおよび遊星歯車機構とを備え、
前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、
前記遊星歯車機構は、太陽歯車と、この太陽歯車の周囲に配置されたリング歯車と、前記太陽歯車とリング歯車との間にキャリアによって回転自在に支持された複数の遊星歯車とからなるトロイダル形無段変速装置において、
前記入力ディスクをパワーローラを介して出力ディスクに押圧する機械式押圧機構と、前記出力ディスクの回転を前記遊星歯車機構に伝達させるとともに、前記遊星歯車機構の動力をバリエータに動力循環させる第１の動力伝達機構と、前記入力軸の回転を前記バリエータをバイパスして前記遊星歯車機構に伝達させる第２の動力伝達機構とを具備したことを特徴とするトロイダル形無段変速装置。
【請求項２】
駆動源により回転駆動される入力軸と、この入力軸の回転に基づく動力を取出す出力軸と、前記入力軸と前記出力軸との間に配置されたバリエータおよび遊星歯車機構とを備え、
前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、
前記遊星歯車機構は、前記出力軸を回転させる太陽歯車と、この太陽歯車の周囲に配置されたリング歯車と、前記太陽歯車とリング歯車との間にキャリアによって回転自在に支持された複数の遊星歯車とからなるトロイダル形無段変速装置において、
前記入力ディスクをパワーローラを介して出力ディスクに押圧する機械式押圧機構と、前記出力ディスクの回転を前記キャリアに伝達させるとともに、前記遊星歯車機構の動力をバリエータに動力循環させるカウンタ軸と、前記入力軸の回転を前記バリエータをバイパスして前記リング歯車に伝達するバイパス軸とを具備したことを特徴とするトロイダル形無段変速装置。
【請求項３】
駆動源により回転駆動される入力軸と、この入力軸の回転に基づく動力を取出す出力軸と、前記入力軸と前記出力軸との間に配置されたバリエータおよび遊星歯車機構とを備え、
前記バリエータは、中央に相反する向きに配置され前記入力軸と連動して回転する一対の入力ディスクと、両側に前記入力ディスクと対向して同軸的に配置され互いに同期して回転する一対の出力ディスクと、前記入力ディスクと出力ディスクとの間に傾転自在に転接されたパワーローラとからなり、
前記遊星歯車機構は、前記出力軸を回転させる太陽歯車と、この太陽歯車の周囲に配置されたリング歯車と、前記太陽歯車とリング歯車との間にキャリアによって回転自在に支持された複数の遊星歯車とからなるトロイダル形無段変速装置において、
前記入力ディスクをパワーローラを介して出力ディスクに押圧する機械式押圧機構と、前記出力ディスクの回転を前記キャリアに伝達させる動力伝達機構と、前記入力軸の回転及び入力ディスクの回転を前記バリエータをバイパスして前記リング歯車に伝達するバイパス軸とを具備したことを特徴とするトロイダル形無段変速装置。
【請求項４】
駆動源により回転駆動される入力軸と、この入力軸の回転に基づく動力を取出す出力軸と、前記入力軸と前記出力軸との間に配置されたバリエータおよび遊星歯車機構とを備え、
前記バリエータは、中央に相反する向きに配置され前記入力軸と連動して回転する一対の入力ディスクと、両側に前記入力ディスクと対向して同軸的に配置され互いに同期して回転する一対の出力ディスクと、前記入力ディスクと出力ディスクとの間に傾転自在に転接されたパワーローラとからなり、
前記遊星歯車機構は、前記出力軸を回転させる太陽歯車と、この太陽歯車の周囲に配置されたリング歯車と、前記太陽歯車とリング歯車との間にキャリアによって回転自在に支持された複数の遊星歯車とからなるトロイダル形無段変速装置において、
前記出力ディスクをパワーローラを介して入力ディスクに押圧する機械式押圧機構と、前記出力ディスクの回転を前記キャリアに伝達させるとともに、前記遊星歯車機構の動力をバリエータに動力循環させる動力伝達機構と、前記入力軸の回転及び入力ディスクの回転を前記バリエータをバイパスして前記リング歯車に伝達するバイパス軸とを具備したことを特徴とするトロイダル形無段変速装置。
【請求項５】
駆動源により回転駆動される入力軸と、この入力軸の回転に基づく動力を取出す出力軸と、前記入力軸と前記出力軸との間に配置されたバリエータおよび遊星歯車機構とを備え、
前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、
前記遊星歯車機構は、太陽歯車と、この太陽歯車の周囲に配置され前記出力軸を回転させるリング歯車と、前記太陽歯車とリング歯車との間にキャリアによって回転自在に支持された複数の遊星歯車とからなるトロイダル形無段変速装置において、
前記出力ディスクをパワーローラを介して入力ディスクに押圧する機械式押圧機構と、前記入力軸の回転を前記バリエータをバイパスしてリング歯車に伝達させる動力伝達機構と、前記出力ディスクの回転を前記キャリアに伝達させるとともに、前記遊星歯車機構の動力をバリエータに動力循環させるカウンタ軸とを具備したことを特徴とするトロイダル形無段変速装置。
【請求項６】
駆動源により回転駆動される入力軸と、この入力軸の回転に基づく動力を取出す出力軸と、前記入力軸と前記出力軸との間に配置されたバリエータおよび遊星歯車機構とを備え、
前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、
前記遊星歯車機構は、太陽歯車と、この太陽歯車の周囲に配置され前記出力軸を回転させるリング歯車と、前記太陽歯車とリング歯車との間にキャリアによって回転自在に支持された複数の遊星歯車とからなるトロイダル形無段変速装置において、
前記入力ディスクをパワーローラを介して出力ディスクに押圧する機械式押圧機構と、前記出力ディスクの回転を前記太陽歯車に伝達させるとともに、前記遊星歯車機構の動力をバリエータに動力循環させるカウンタ軸と、前記入力軸の回転を前記バリエータをバイパスして前記キャリアに伝達させるバイパス軸とを具備したことを特徴とするトロイダル形無段変速装置。
【請求項７】
駆動源により回転駆動される入力軸と、
この入力軸の回転に基づく動力を取出す出力軸と、
前記入力軸と前記出力軸との間に配置されたバリエータおよび遊星歯車機構とを備え、
前記バリエータは、前記入力軸と連動して回転する一対の入力ディスクと、
この一対の入力ディスクと同軸的に配置され互いに同期して回転する一対の出力ディスクと、
前記入力ディスクと出力ディスクとの間に傾転自在に転接されたパワーローラとからなり、
前記遊星歯車機構は、太陽歯車と、この太陽歯車の周囲に配置されたリング歯車と、前記太陽歯車とリング歯車との間にキャリアによって回転自在に支持された複数の遊星歯車とからなるトロイダル形無段変速装置において、
前記入力ディスクあるいは出力ディスクをパワーローラを介して出力ディスクあるいは入力ディスクに押圧する押圧機構と、
前記出力ディスクの回転を前記遊星歯車機構に伝達させるとともに、前記遊星歯車機構の動力をバリエータに動力循環させる第１の動力伝達機構と、
前記入力軸の回転を、前記バリエータをバイパスして前記遊星歯車機構に伝達させる第２の動力伝達機構とを具備したことを特徴とするトロイダル形無段変速装置。
【請求項８】
駆動源により回転駆動される入力軸と、
この入力軸の回転に基づく動力を取出す出力軸と、
前記入力軸と前記出力軸との間に配置されたバリエータおよび遊星歯車機構とを備え、
前記バリエータは、前記入力軸と連動して回転する一対の入力ディスクと、
この一対の入力ディスクと同軸的に配置され互いに同期して回転する一対の出力ディスクと、
前記入力ディスクと出力ディスクとの間に傾転自在に転接されたパワーローラとからなり、
前記遊星歯車機構は、太陽歯車と、この太陽歯車の周囲に配置されたリング歯車と、前記太陽歯車とリング歯車との間にキャリアによって回転自在に支持された複数の遊星歯車とからなるトロイダル形無段変速装置において、
前記出力ディスクをパワーローラを介して入力ディスクに押圧する機械式押圧機構と、
前記出力ディスクの回転を前記遊星歯車機構に伝達させるとともに、前記遊星歯車機構の動力をバリエータに動力循環させる第１の動力伝達機構と、
前記入力軸の回転を、前記バリエータをバイパスして前記遊星歯車機構に伝達させる第２の動力伝達機構とを具備したことを特徴とするトロイダル形無段変速装置。
【手続補正２】
【補正対象書類名】明細書
【補正対象項目名】００１５
【補正方法】変更
【補正の内容】
【００１５】
請求項６は、駆動源により回転駆動される入力軸と、この入力軸の回転に基づく動力を取出す出力軸と、前記入力軸と前記出力軸との間に配置されたバリエータおよび遊星歯車機構とを備え、前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、前記遊星歯車機構は、太陽歯車と、この太陽歯車の周囲に配置され前記出力軸を回転させるリング歯車と、前記太陽歯車とリング歯車との間にキャリアによって回転自在に支持された複数の遊星歯車とからなるトロイダル形無段変速装置において、前記入力ディスクをパワーローラを介して出力ディスクに押圧する機械式押圧機構と、前記出力ディスクの回転を前記太陽歯車に伝達させるとともに、前記遊星歯車機構の動力をバリエータに動力循環させるカウンタ軸と、前記入力軸の回転を前記バリエータをバイパスして前記キャリアに伝達させるバイパス軸とを具備したことを特徴とする。
請求項７は、駆動源により回転駆動される入力軸と、この入力軸の回転に基づく動力を取出す出力軸と、前記入力軸と前記出力軸との間に配置されたバリエータおよび遊星歯車機構とを備え、前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、前記遊星歯車機構は、太陽歯車と、この太陽歯車の周囲に配置されたリング歯車と、前記太陽歯車とリング歯車との間にキャリアによって回転自在に支持された複数の遊星歯車とからなるトロイダル形無段変速装置において、前記入力ディスクあるいは出力ディスクをパワーローラを介して出力ディスクあるいは入力ディスクに押圧する押圧機構と、前記出力ディスクの回転を前記遊星歯車機構に伝達させるとともに、前記遊星歯車機構の動力をバリエータに動力循環させる第１の動力伝達機構と、前記入力軸の回転を、前記バリエータをバイパスして前記遊星歯車機構に伝達させる第２の動力伝達機構とを具備したことを特徴とする。
請求項８は、駆動源により回転駆動される入力軸と、この入力軸の回転に基づく動力を取出す出力軸と、前記入力軸と前記出力軸との間に配置されたバリエータおよび遊星歯車機構とを備え、前記バリエータは、前記入力軸と連動して回転する一対の入力ディスクと、この一対の入力ディスクと同軸的に配置され互いに同期して回転する一対の出力ディスクと、前記入力ディスクと出力ディスクとの間に傾転自在に転接されたパワーローラとからなり、前記遊星歯車機構は、太陽歯車と、この太陽歯車の周囲に配置されたリング歯車と、前記太陽歯車とリング歯車との間にキャリアによって回転自在に支持された複数の遊星歯車とからなるトロイダル形無段変速装置において、前記出力ディスクをパワーローラを介して入力ディスクに押圧する機械式押圧機構と、前記出力ディスクの回転を前記遊星歯車機構に伝達させるとともに、前記遊星歯車機構の動力をバリエータに動力循環させる第１の動力伝達機構と、前記入力軸の回転を、前記バリエータをバイパスして前記遊星歯車機構に伝達させる第２の動力伝達機構とを具備したことを特徴とする。
【手続補正３】
【補正対象書類名】明細書
【補正対象項目名】００２３
【補正方法】変更
【補正の内容】
【００２３】
遊星歯車機構３について説明すると、出力軸２０を備えた太陽歯車２１と、これに噛合する複数の遊星歯車２２と、各遊星歯車２２を連繋するキャリア２３と、遊星歯車２２に噛合するリング歯車２４とを備えており、キャリア２３が中心軸１９と連結されている。さらに、リング歯車２４と遊星歯車機構３のハウジング（図示しない）との間にはリング歯車２４の回転を許容および拘束する後退用クラッチ２７が設けられている。さらに、キャリア２３と出力軸２０との間には動力の伝達を接離する低速用クラッチ２６が設けられている。
【手続補正４】
【補正対象書類名】明細書
【補正対象項目名】００２９
【補正方法】変更
【補正の内容】
【００２９】
次に、高速用クラッチ３１を接続して低速用クラッチ２６および後退用クラッチ２７を解放し、発進クラッチ７を接続すると、入力軸６の回転は第３のギャ２８を介して第４のギャ３０に伝達し、バイパス軸２９が回転する。バイパス軸２９の回転は高速用クラッチ３１を介して伝達軸３２に伝達され、伝達軸３２の回転は第５及び第６のギャ３３，３４を介して遊星歯車機構３のリング歯車２４に伝達される。リング歯車２４の回転は複数の遊星歯車２２を介して太陽歯車２１に伝達し、この太陽歯車２１に連結された出力軸２０が回転する。
【手続補正５】
【補正対象書類名】明細書
【補正対象項目名】図９
【補正方法】変更
【補正の内容】
【図９】
同実施形態における車速と入力ディスクに入力する動力／エンジン動力との関係を示すグラフ。
【手続補正６】
【補正対象書類名】明細書
【補正対象項目名】図１０
【補正方法】変更
【補正の内容】
【図１０】
この発明の第８の実施形態におけるトロイダル形無段変速装置の系統図。